(57)【要約】【課題】  定量排出（供給）を最後まで行うことが可能な容器を提供する。【解決手段】  容器が、粉体が収容される容器本体（偏心ボトル１）と、前記容器本体の開口部１ｃに設けられた定量排出装置２とを備え、該定量排出装置２は、天板部に排出口部１１、内部に計量室８と仕切部材１０、周壁の一方側４ａ又は底面部４ｃに流入口部６を有し、仕切部材１０の下部側には流入口部側６に折曲されたテーパー面１０ａが形成され、計量室８から排出口部１１につながる排出流路１２が、仕切部材１０によって定量排出装置２の内壁に沿って形成され、定量排出装置２の排出口部１１の中心軸芯が排出流路１２の中心軸芯より前記容器本体１の開口部１ｃの中央側に変位した位置に形成されている。【選択図】  図１
2005096876.tif 000002
【特許請求の範囲】
【請求項１】
粉体が収容される容器本体と、この容器本体の開口部に設けられた定量排出装置とを備え、
該定量排出装置は、天板部に排出口部、内部に計量室と仕切部材、周壁又は底面部に流入口部を有し、
仕切部材の下部側には流入口部側に折曲されたテーパー面が形成され、
計量室から排出口部につながる排出流路が、仕切部材によって定量排出装置の内壁に沿って形成され、
定量排出装置の排出口部の中心軸芯が排出流路の中心軸芯より前記容器本体の開口部の中央側に変位した位置に形成されている容器。
【請求項２】
定量排出装置の内部において、流入口部の上方に仮計量部が設けられ、容器本体を傾斜させることにより、容器本体に収容された粉体が流入口部から仮計量部に流れ込む請求項１記載の容器。
【請求項３】
仕切部材の上部側に、流入口部側に折曲されたテーパー面が形成されている請求項１又は２記載の容器。
【請求項４】
定量排出装置の下部に、スライド可能に嵌め込まれ、内容積を可変とする凹体が設けられている請求項１〜３のいずれかに記載の容器。
【請求項５】
容器本体は、定量排出装置に形成された流入口部側の側壁が膨らみ、該側壁と反対側の排出口部側の側壁は、前記膨らみより小さいか、又は膨らんでいない請求項１〜４のいずれかに記載の容器。
【発明の詳細な説明】
【技術分野】
【０００１】
本発明は、粉体を排出する為に用いる排出用栓体が取り付けられた容器に関する。
【背景技術】
【０００２】
粉末洗剤、粉末食品、嗜好品、調味料などの粉体を一定量だけ計量・排出（供給）するものとして定量栓体が提案されている（特許文献１、特許文献２、特許文献３等）。これら定量栓体の具体的構成は、図５〜図７に示す通りである。すなわち、粉末洗剤などが充填される容器本体２１の開口部に定量栓体２２が取り付けられており、この定量栓体２２は流入口２３及び排出口２４を有するカップ体部２５を備えたものであり、このカップ体部２５内に設けられた仕切部材２６によって流入口２３につながる予備室２７、及び排出口２４と予備室２７とにつながる計量室２８が構成されたものである。そして、図６に示す如く、容器２１を傾斜させると、容器２１内の粉末洗剤が流入口２３よりカップ体部２５内の予備室２７に入り込む。この時、計量室２８内に保持されていた一定量の粉末洗剤が排出口２４から排出される。この後、容器２１を元に戻すと、予備室２７内の粉末洗剤は計量室２８に移るものの、計量室２８の容積をオーバーする過剰の粉末洗剤は流入口２３から容器２１内に還流する。これによって、常に、一定量の粉末洗剤が排出される。
【０００３】
【特許文献１】実開昭６０−１５４２５２号公報
【特許文献２】実開昭６１−１１７１５３号公報
【特許文献３】実公平６−３４２９５号公報
【発明の開示】
【発明が解決しようとする課題】
【０００４】
しかし、この構成の容器が使用されているうちに、欠点のあることが判って来た。すなわち、図８に示す如く、容器２１内の粉末洗剤が少なくなって来ると、図６や図８程度の傾斜角度では流入口２３から予備室２７側に粉末洗剤を流入させることが出来ない。従って、図９に示す如く、更に傾けないと、流入口２３から予備室２７側に粉末洗剤は流入しない。
【０００５】
この為、使用するにつれて容器の傾斜角度を変えなければならず、すなわち傾斜角度を変えないで動作を行っていると、定量栓体２２付きの容器にもかかわらず、最後まで粉末洗剤を定量計量することが出来ない。又、途中で傾斜角度の習慣を変えることは大変である。
【０００６】
このような課題に対し、本発明は、定量排出（供給）を最後まで行うことが可能な容器を提供することを目的とする。
【課題を解決するための手段】
【０００７】
前記の課題についての検討を鋭意押し進めて行った結果、問題点は流入口２３と排出口２４とがカップ体部２５の両端に位置していることに起因することが判った。そして、更なる検討を押し進めて行った結果、排出口２４を端部ではなく、中心側に形成しておけば、最初から図９に示す傾斜角度でなければ粉末洗剤が出てこないことから、終わったと錯覚して捨ててしまうことはないであろうとの啓示を得るに到った。
【０００８】
本発明はかかる啓示に基づいてなされたものであり、粉体が収容される容器本体と、この容器本体の開口部に設けられた定量排出装置とを備え、
該定量排出装置は、天板部に排出口部、内部に計量室と仕切部材、周壁又は底面部に流入口部を有し、
仕切部材の下部側には流入口部側に折曲されたテーパー面が形成され、
計量室から排出口部につながる排出流路が、仕切部材によって定量排出装置の内壁に沿って形成され、
定量排出装置の排出口部の中心軸芯が排出流路の中心軸芯より前記容器本体の開口部の中央側に変位した位置に形成されている容器を提供する。
【０００９】
特に、かかる容器であって、定量排出装置の内部において、流入口部の上方に仮計量部が設けられ、容器本体を傾斜させることにより流入口部から仮計量部に粉体が流れ込む態様を提供する。
【００１０】
上記容器本体の開口部に設けられた定量排出装置は、その外形がカップ状に形成され、内部に仕切部材が設けられてなり、この仕切部材によって排出流路がカップ状定量排出装置の内壁に沿って形成されてなるものを具体例として挙げることが出来る。又、定量排出装置は、その外形がカップ状に形成され、このカップ状定量排出装置の周側壁あるいはカップ状定量排出装置の底板部に流入口部が、天板部に排出口部が形成されたものを具体例として挙げることが出来る。
【００１１】
すなわち、例えば流入口部と反対側の端から変位した位置に排出口部を構成しておけば、流入口部と反対側の端に排出口部を設けた場合よりも、容器本体を更に傾けなければ排出が出来なくなるから、充填物がなくなっているとの錯誤は起き難い。しかし、使い易さの点をも考慮すると、容器の傾斜角度を５０〜６０°程度とした場合に、排出口部から排出されるようにしておくのが好ましい。このことから、流入口部を縦に半分（対称）に切断した場合において、容器の開口部中心（カップ体部の中心）から排出流路の端部までの距離をａ、容器の開口部中心（カップ体部の中心）から排出口部の端部までの距離をｂとした場合、０．５≦ｂ／ａ≦０．７であるよう排出口部を形成するのが好ましい。これによって、特に、最後まで容易に定量計量できる。
【００１２】
尚、カップ状定量排出装置の底板部に流入口部を形成した場合でも、０．５≦ｂ／ａ≦０．７の条件を満たしておくと、容器の傾斜角度を５０〜６０°程度とした場合に、排出口部から排出されるようになる。又、本発明における容器本体は、設けられた定量排出装置の周側壁に形成された流入口部側の側壁が膨らみ、反対側の排出流路側は前記の脹らみより小さい、あるいは膨らんでいない形状、例えば偏芯ボトルであることが好ましい。
【００１３】
又、カップ体部の計量室の内容積を加減できるよう、例えばスライド構造にしておくと、必要に応じて排出（供給）量を加減できる。
【発明の効果】
【００１４】
充填物を効果的に排出でき、容器内部に残存しているのに間違って捨ててしまう事故を効果的に防止できる。
【発明を実施するための最良の形態】
【００１５】
図１及び図２は本発明に係る容器の第一実施形態を示すもので、図１は傾斜させた状態（使用状態）での断面図、図２は正立状態（不使用状態）での断面図である。各図中、１は半透明あるいは不透明なプラスチック材料で側壁部の一方側１ａが他方側１ｂより大きく膨らんだ形状の偏心ボトル（容器）であり、粉末洗剤などが充填される。尚、側壁部の他方側１ｂが全く膨らんでいなくても良い。例えば、側壁部の他方側１ｂを後述する定量排出装置２（カップ体部３）の側壁部４ｂと略同様な形状とし、カップ体部３の外側壁と偏芯ボトル１の内側壁１ｂとの間に実質上隙間が形成されず、粉末洗剤などの粉体がその間隙に入り込むことがないようにしておいても良い。
【００１６】
２は、偏芯ボトル１の開口部１ｃに嵌め込まれたカップ体部３を有する定量排出装置（栓体）である。カップ体部３は、筒状部４と、筒状部４の下部にスライド可能に嵌め込まれ、その内容積を可変構造とする凹体５とを有する。定量排出装置２が偏芯ボトル１の開口部１ｃに嵌め込まれた状態において、側壁部の一方側１ａに対向した側の筒状部４の側壁部の一方側４ａには流入口部６が形成されている。そして、図１に示す如く、偏芯ボトル１を傾斜させると、流入口部６から粉末洗剤がカップ体部３の上方にある予備室（仮計量室）７に流れ込むようになっている。尚、図１に示す傾斜状態から偏芯ボトル１を図２に示す正立状態に戻した場合、予備室７に有る粉末洗剤は下方に落下し、予備室７の下部に位置する凹体５などで構成される計量室８に移行する。しかし、計量室８の内容積をオーバーする量の粉末洗剤は流入口部６からカップ体部３の室外に溢れ出る。これによって、一定量の粉末洗剤が計量される。
【００１７】
筒状部４の上部には第１の上面板９ａが設けられ、この上面板９ａから板状の仕切部材１０が下垂して設けられている。この仕切部材１０の下部側は、流入口部６側に折曲され、テーパー面１０ａになっている。そして、仕切部材１０によって、流入口部６につながる予備室７、予備室７の下方に位置する計量室８、及び計量室８と第１の上面板９ａの上に設けられた第２の上面板９ｂに形成された排出口（排出口の中心軸芯を図１，２中一点鎖線で示す）１１とにつながる排出流路（排出流路の中心軸芯を図１，２中二点鎖線で示す）１２とに分けられる。尚、排出流路１２は、カップ体部３の側壁部４ｂと仕切部材１０とによって構成されたものであり、カップ体部３の内壁に沿って形成されている。
【００１８】
第２の上面板９ｂに形成された排出口１１は、排出流路１２から中央側にずらした位置に設けられている。すなわち、偏芯ボトル１の開口部１ｃ中心（カップ体部の中心、図１，２において三点鎖線で示す）から排出流路１２の端部までの距離をａ、中心から排出口１１部の端部までの距離をｂとした場合、ｂ／ａ＝０．６３であるように排出口１１が形成されている。
【００１９】
従って、図１に示す如く、偏芯ボトル１を傾斜させると、計量室８に存在している粉末洗剤は、図１中、斜め左下方に排出流路１２を通って流れ落ちて行く。しかし、排出流路１２を通った粉末洗剤は直ちには排出されない。すなわち、排出流路１２と排出口１１との間には段差があるから、この部分で粉末洗剤は一時的に溜まり、そして段差分を越えた段階で始めて粉末洗剤は排出口１１から排出されるようになる。従って、従来の傾斜角度以上に偏芯ボトル１を傾けないと粉末洗剤は排出口１１から排出されない。これにより、偏芯ボトル１内に残存する粉末洗剤の量が少なくなっても、傾斜角度を大きくした分だけ流入口部６から粉末洗剤が予備室７に流れ込む。
【００２０】
そして、上記のように構成させていると、最初から、大きく偏芯ボトル１を傾ける習慣が付く。従って、偏芯ボトル１内に粉末洗剤が少なくなって来ても、偏芯ボトル１を大きく傾けた分だけ粉末洗剤が予備室７に流れ込み易く、従来のような無くなったと錯覚することが少ない。尚、図１及び図２中、１４は排出口１１に対して設けられた開閉蓋である。
【００２１】
図３は、本発明に係る容器の第二実施形態を示す正立状態（不使用状態）での断面図である。本実施形態のものは、上面板９ａ、仕切部材１０などの形状が相違するに過ぎず、基本的な技術思想は前記実施形態のものと同じであるから、同じ機能を奏する部分には同一符号を付し、詳細な説明は省略する。
【００２２】
図４（ａ），（ｂ）は、本発明に係る容器の第三実施形態の要部（定量排出装置）の断面図及び底面図である。図１〜図３に示した実施形態の定量排出装置にあっては、流入口部６が筒状部４の側壁部の一方側４ａに形成されたものであるが、本実施形態にあっては底面部４ｃに形成したものである。
【００２３】
その他の点については、第一実施形態のものと同じであるから、同じ機能を奏する部分には同一符号を付し、詳細な説明は省略する。
【産業上の利用可能性】
【００２４】
本発明の容器は、粉末洗剤、粉末食品、嗜好品、調味料などの粉体を一定量だけ計量・排出（供給）する容器として有用である。
【図面の簡単な説明】
【００２５】
【図１】本発明に係る第一実施形態の容器を傾斜させた状態（使用状態）での断面図
【図２】本発明に係る第一実施形態の容器を正立した状態（不使用状態）での断面図
【図３】本発明に係る第二実施形態の容器を正立した状態（不使用状態）での断面図
【図４】（ａ）は本発明に係る第三実施形態の容器の定量排出装置の断面図（ｂ）は本発明に係る第三実施形態の容器の定量排出装置の底面図
【図５】従来の定量栓体の断面図
【図６】定量栓体の作用図
【図７】定量栓体の作用図
【図８】従来の定量栓体の欠点を説明する断面図
【図９】従来の定量栓体の欠点を説明する断面図
【符号の説明】
【００２６】
１ 偏芯ボトル
２ 定量排出装置（栓体）
３ カップ体部
４ 筒状部
５ 凹体
６ 流入口部
７ 予備室
８ 計量室
１０ 仕切部材
１１ 排出口
１２ 排出流路
【図１】
2005096876.tif 000003
【図２】
2005096876.tif 000004
【図３】
2005096876.tif 000005
【図４】
2005096876.tif 000006
【図５】
2005096876.tif 000007
【図６】
2005096876.tif 000008
【図７】
2005096876.tif 000009
【図８】
2005096876.tif 000010
【図９】
2005096876.tif 000011